(57)【要約】【課題】樹脂パターンでの未充填部分の発生を抑える際の効率化の点で有利なインプリント装置を提供する。【解決手段】インプリント装置１は、型８に形成されたパターンを基板１１上にインプリントする。このインプリント装置１は、基板１１を保持し、基板１１の表面に沿う方向に移動可能な基板保持部５と、型８のパターン部８ａと基板１１との間の空間に気体１２を供給するための気体供給部４と、気体１２が供給される空間１５を囲むように配置される壁部１３ａと、を備え、基板１１と型８とが対向する位置において、壁部１３ａは、基板保持部５または基板１１に間隙を介して対向する。【選択図】図１
2014212206.tif 000002
【特許請求の範囲】
【請求項１】
型に形成されたパターンを基板上にインプリントするインプリント装置であって、
前記基板を保持し、該基板の表面に沿う方向に移動可能な基板保持部と、
前記型のパターン部と前記基板との間の空間に気体を供給するための気体供給部と、
前記気体が供給される空間を囲むように配置される壁部と、を備え、
前記基板と前記型とが対向する位置において、前記壁部は、前記基板保持部または前記基板に間隙を介して対向することを特徴とするインプリント装置。
【請求項２】
前記壁部の外側に配置され、前記間隙との間を介して流出した気体を排気する排気部を備えることを特徴とする請求項１に記載のインプリント装置。
【請求項３】
前記気体供給部は、前記気体が供給される空間に対向する供給口を備え、
前記壁部の端部は、前記基板の表面に垂直な方向において、前記供給口よりも前記基板保持部の側に配置されることを特徴とする請求項１または２に記載のインプリント装置。
【請求項４】
前記壁部の端部は、前記基板の表面に垂直な方向において、前記型のパターン部よりも前記基板保持部から離れて配置されることを特徴とする請求項１ないし３のいずれか１項に記載のインプリント装置。
【請求項５】
前記間隙が１ｍｍ以下であることを特徴とする請求項１ないし４のいずれか１項に記載のインプリント装置。
【請求項６】
前記壁部は、前記間隙において、前記気体供給部からの気体の流速を増加させるように構成されることを特徴とする請求項１ないし５のいずれか１項に記載のインプリント装置。
【請求項７】
前記供給部からの供給された気体の流速が、前記間隙において、前記基板保持部の移動速度以上になるように、前記壁部の間隙が設定されることを特徴とする請求項１ないし６のいずれか１項に記載のインプリント装置。
【請求項８】
前記気体が排気される空間を囲むように配置される第２の壁部を備え、
前記基板と前記型とが対向する位置において、前記第２の壁部は、前記基板保持部または前記基板に間隙を介して対向することを特徴とする請求項２に記載のインプリント装置。
【請求項９】
前記排気される空間に向かう気体の流速が、前記第２の壁部によって形成される間隙において、前記基板保持部の移動速度以上になるように、前記第２の壁部の間隙が設定されることを特徴とする請求項８に記載のインプリント装置。
【請求項１０】
請求項１ないし９のいずれか１項に記載のインプリント装置を用いて基板上に樹脂のパターンを形成する工程と、
前記工程で前記パターンを形成された基板を加工する工程と、
を含むことを特徴とする物品の製造方法。
【発明の詳細な説明】
【技術分野】
【０００１】
本発明は、インプリント装置、およびそれを用いた物品の製造方法に関する。
【背景技術】
【０００２】
半導体デバイスやＭＥＭＳなどの微細化の要求が進み、従来のフォトリソグラフィー技術に加え、基板上の未硬化樹脂を型（モールド）で成形し、樹脂のパターンを基板上に形成する微細加工技術が注目を集めている。この技術は、インプリント技術とも呼ばれ、基板上に数ナノメートルオーダーの微細な構造体を形成することができる。例えば、インプリント技術の１つとして、光硬化法がある。この光硬化法を採用したインプリント装置では、まず、基板（ウエハ）上のインプリント領域であるショットに紫外線硬化樹脂（インプリント材、光硬化性樹脂）を塗布する。次に、この樹脂（未硬化樹脂）を型により成形する。そして、紫外線を照射して樹脂を硬化させたうえで引き離すことにより、樹脂のパターンが基板上に形成される。
【０００３】
このようなインプリント装置では、型と基板上の樹脂との押し付け時にて型に形成されている微細凹凸部に樹脂が充填される際、樹脂に気泡が残留して未充填部分が発生することに起因して、樹脂パターンが正常に形成されない場合がある。そこで、従来、押し付け時に型と基板（樹脂）とに挟まれた隙間空間を特殊な気体（ガス）で満たすことで、気泡の残留を抑止するインプリント装置が提案されている。特許文献１は、基板上の粘性液体（樹脂）に近接した位置に、溶解性または拡散性の高いガスを輸送するステップを含むインプリントリソグラフィ法を開示している。
【先行技術文献】
【特許文献】
【０００４】
【特許文献１】特表２００７−５０９７６９号公報
【発明の概要】
【発明が解決しようとする課題】
【０００５】
しかしながら、特許文献１に示すように型と基板との隙間空間のみを局所的に特殊なガスで満たしている状態で、型に対して平行方向に基板が移動する（走査する）と、その隙間空間外から隙間空間内へ周囲の空気が流入する。ここで、隙間空間内にガスを供給することで気泡の残留を抑える効果を得るためには、隙間空間内でのガス濃度を、ある程度高い値に維持する必要があるが、この場合、空気の流入により、ガス濃度を高い値にまで上げづらい。したがって、従来のインプリント装置では、例えば、ガスの供給量を多くし、隙間空間内だけでなく、型の周辺の広い領域にまで充満させておく必要があった。
【０００６】
本発明は、このような状況を鑑みてなされたものであり、樹脂パターンでの未充填部分の発生を抑える際の効率化の点で有利なインプリント装置を提供することを目的とする。
【課題を解決するための手段】
【０００７】
上記課題を解決するために、本発明は、型に形成されたパターンを基板上にインプリントするインプリント装置であって、基板を保持し、基板の表面に沿う方向に移動可能な基板保持部と、型のパターン部と基板との間の空間に気体を供給するための気体供給部と、気体が供給される空間を囲むように配置される壁部と、を備え、基板と型とが対向する位置において、壁部は、基板保持部または基板に間隙を介して対向することを特徴とする。
【発明の効果】
【０００８】
本発明によれば、例えば、樹脂パターンでの未充填部分の発生を抑える際の効率化の点で有利なインプリント装置を提供することができる。
【図面の簡単な説明】
【０００９】
【図１】本発明の一実施形態に係るインプリント装置の構成を示す図である。
【図２】モールドの周辺構成を示す図である。
【図３】排気経路を通して排気されるガスの流れを説明する図である。
【図４】押型工程から離型工程までのインプリント動作を説明する図である。
【図５】本発明の他の実施形態に係るインプリント装置の構成を示す図である。
【発明を実施するための形態】
【００１０】
以下、本発明を実施するための形態について図面などを参照して説明する。
【００１１】
まず、本発明の一実施形態に係るインプリント装置について説明する。図１は、本実施形態に係るインプリント装置１の構成を示す概略図である。インプリント装置１は、物品としての半導体デバイスなどのデバイスの製造に使用され、被処理基板であるウエハ上（基板上）の未硬化樹脂をモールド（型）で成形し、ウエハ上に樹脂のパターンを形成する装置である。なお、ここでは光硬化法を採用したインプリント装置とする。また、以下の図においては、ウエハ上の樹脂に対して紫外線を照射する照明系の光軸に平行にＺ軸を取り、Ｚ軸に垂直な平面内に互いに直交するＸ軸およびＹ軸を取っている。インプリント装置１は、まず、光照射部２と、モールド保持機構３と、ガス供給機構４と、ウエハステージ５と、塗布部６と、制御部７とを備える。
【００１２】
光照射部２は、インプリント処理の際に、モールド８に対して紫外線９を照射する。この光照射部２は、不図示であるが、光源と、この光源から発せられた紫外線９をインプリントに適切な光に調整し、モールド８に照射する照明光学系とを含む。光源は、水銀ランプなどのランプ類を採用可能であるが、モールド８を透過し、かつ後述の樹脂（紫外線硬化樹脂）１０が硬化する波長の光を発する光源であれば、特に限定するものではない。照明光学系は、レンズ、ミラー、アパーチャ、または照射と遮光を切り替えるためのシャッターなどを含み得る。なお、本実施形態では、光硬化法を採用するために光照射部２を設置しているが、例えば熱硬化法を採用する場合には、この光照射部２に換えて、熱硬化性樹脂を硬化させるための熱源部を設置することとなる。
【００１３】
モールド８は、外周形状が多角形（好適には、矩形または正方形）であり、ウエハ１１に対する面には、例えば回路パターンなどの転写すべき凹凸パターンが３次元状に形成されたパターン部８ａを含む。なお、パターンサイズは、製造対象となる物品により様々であるが、微細なものでは十数ナノメートルのパターンも含まれる。また、モールド８の材質は、紫外線９を透過させることが可能で、かつ熱膨張率の低いことが望ましく、例えば石英とし得る。さらに、モールド８は、紫外線９が照射される面に、平面形状が円形で、かつ、ある程度の深さのキャビティ（凹部）を有する場合もある。
【００１４】
モールド保持機構（型保持部）３は、不図示であるが、モールド８を保持するモールドチャックと、このモールドチャックを保持し、モールド８を移動させるモールド駆動機構とを有する。モールドチャックは、モールド８における紫外線９の照射面の外周領域を真空吸着力や静電力により引き付けることで、モールド８を保持し得る。例えば、モールドチャックが真空吸着力によりモールド８を保持する場合には、モールドチャックは、外部に設置された真空ポンプに接続され、この真空ポンプのＯＮ／ＯＦＦによりモールド８の着脱が切り替えられる。また、モールドチャックおよびモールド駆動機構は、光照射部２から照射された紫外線９がモールド８を透過してウエハ１１に向かうように、中心部（内側）に開口領域を有する。モールド駆動機構は、モールド８とウエハ１１上の樹脂１０との押し付けまたは引き離しを選択的に行うようにモールド８を各軸方向に移動させる。このモールド駆動機構に採用可能な動力源としては、例えばリニアモータまたはエアシリンダがある。また、モールド８の高精度な位置決めに対応するために、粗動駆動系や微動駆動系などの複数の駆動系から構成されていてもよい。さらに、Ｚ軸方向だけでなく、Ｘ軸方向やＹ軸方向、またはθ（Ｚ軸周りの回転）方向の位置調整機能や、モールド８の傾きを補正するためのチルト機能などを有する構成もあり得る。なお、インプリント装置１における押し付けおよび引き離し動作は、モールド８をＺ軸方向に移動させることで実現してもよいが、ウエハステージ５をＺ軸方向に移動させることで実現してもよく、または、その双方を相対的に移動させてもよい。
【００１５】
ガス供給機構（気体供給部）４は、押し付け動作時にモールド８とウエハ１１との間の空間（以下「隙間空間」という）にガス（気体）を供給する。これは、パターン部８ａの凹凸パターンに樹脂１０が充填される時間を短縮させたり、充填された樹脂１０に気泡が残留することを抑止させたりする充填性の向上を図るためである。また、ガス供給機構４は、引き離し力を可能な限り低減させる離型性の向上を図るために、引き離し動作時にも同様にガスを供給し得る。図２は、ウエハ１１の表面に対峙したモールド８の周辺構成を示す概略断面図である。ガス供給機構４は、ウエハステージ５上に載置されたウエハ１１側に向かってガス１２を放出させる複数の吹き出し部１３と、この吹き出し部１３に接続され、ガス１２の供給量を適宜調整しつつ、ガス１２の供給を制御する供給部１４とを含む。なお、採用し得るガス１２としては、上記のような充填性と離型性との観点から、樹脂１０での溶解性や拡散性に優れる気体、例えば、ヘリウム、二酸化炭素、窒素、水素、キセノン、または凝縮性ガスなどが望ましい。
【００１６】
吹き出し部１３は、モールド保持機構３（モールドチャック）のウエハステージ５側に向かう面で、保持されたモールド８の外周領域の全周囲に設置される。なお、吹き出し部１３は、このようにモールド８の全周囲側からガス１２を吹き出す構成に換えて、モールド８の周囲片側からのみガス１２を吹き出すように設置されてもよい。また、吹き出し部１３に形成されたガス１２の吹き出し口（供給口）１３ａは、押し付け動作時に、隙間空間に効率良くガス１２を供給するために、図２に示すように一定の角度を有することが望ましい。さらに、吹き出し部１３は、ウエハステージ５に対向する面が均一な高さ平面ではなく、モールド８とウエハ１１とが対向する位置で、かつ、ウエハ１１の表面に平行な方向にてモールド８の側面とでバッファ空間１５を形成する突出部（壁部）１３ｂを有する。バッファ空間１５は、吹き出し口１３ａに対向してガス１２が供給される空間で、かつ、ガス１２を一定時間滞在させることでガス濃度を高い値に維持させる空間である。また、ガス濃度を効率良く維持するために、突出部１３ｂのうち、ウエハステージ５に対向する端部の対向面１３ｃは、押し付け時にウエハステージ５上のウエハ１１の表面との隙間が狭くなるように、その位置（高さ）が設定される。以下、対向面１３ｃと、ウエハステージ５上に載置されているウエハ１１の表面との隙間量（間隙）について詳説する。
【００１７】
通常、ウエハ１１上には複数のショットが存在しており、ウエハステージ５は、処理対象となるショットを押し付け位置まで移動させるためにその都度移動する。このとき、吹き出し部１３の外側に存在する空気は、ウエハ１１の表面の動きに伴う気流により、モールド８が存在している内側に向かって流入しようとする。例えば、図２に示すように、ウエハステージ５がＸ軸方向で紙面右側から左側に移動すると仮定する。この場合、特に対策を取らないならば、吹き出し部１３の外側に存在する空気は、気流１６に乗り、対向面１３ｃとウエハ１１の表面との隙間から吹き出し部１３の内側のバッファ空間１５に流入する。そこで、本実施形態では、外部から流入する空気によりバッファ空間１５内のガス１２の濃度が低下することなく高い値に維持されるように、供給部１４に対して設定するガス１２の供給流量に合わせ、対向面１３ｃとウエハ１１の表面との隙間量を設定する。例えば、まず、突出部１３ｂの端部は、ウエハ１１の表面に垂直な方向、すなわち対向面１３ｃとウエハ１１とが対向する方向において、吹き出し口１３ａよりもウエハステージ５側に位置するように配置されることが望ましい。また、突出部１３ｂの端部は、同様にウエハ１１の表面に垂直な方向において、パターン部８ａよりもウエハステージ５から離れた位置に配置されることが望ましい。その上で、隙間量は、対向面１３ｃの下を通過して外側に流出するガス１２ａの流速が、吹き出し口１３ａから流出するガス１２の流速よりも増加するように設定する。例えば、このときのガス１２ａの流速を、ウエハ１１が移動する速度以上（ウエハステージ５の移動速度以上）（なお「以上」には同等を含む）となるように調整すればよい。すなわち、最大でウエハ１１が移動する速度と同等の流速でバッファ空間１５に流入しようとする空気に対し、それと同等またはそれ以上の流速のガス１２ａを対向させることで、ウエハ１１が移動しても、外部空気のバッファ空間１５内へ流入を抑止できる。これを踏まえ、隙間量は、さらに具体的には、押し付け時にモールド８とウエハ１１とが最接近したときに、１ｍｍ以下となることが望ましい。そして、突出部１３ｂにおける対向面１３ｃの高さは、この隙間量を実現できるように予め設定する。なお、「ウエハ１１が移動する速度以上」というのは、ガス１２の種類によって、その要求される濃度や、外部に流出した際に許容し得る漏れ濃度などにより、ガス１２ａの流速を適宜変更し得るという意味を含む。
【００１８】
ウエハ１１は、例えば、単結晶シリコン基板やＳＯＩ（Ｓｉｌｉｃｏｎ  ｏｎ  Ｉｎｓｕｌａｔｏｒ）基板であり、この被処理面には、紫外線硬化樹脂であり、モールド８に形成されたパターン部８ａにより成形される樹脂１０が塗布される。
【００１９】
ウエハステージ（基板保持部）５は、ウエハ１１を保持し、モールド８とウエハ１１上の樹脂１０との押し付けに際してモールド８と樹脂１０との位置合わせを実施する。このウエハステージ５は、不図示であるが、ウエハ１１を吸着力により保持するウエハチャックと、このウエハチャックを機械的手段により保持し、少なくともウエハ１１の表面に沿う方向に移動可能とするステージ駆動機構とを有する。このステージ駆動機構に採用可能な動力源としては、例えばリニアモータや平面モータがある。ステージ駆動機構も、Ｘ軸およびＹ軸の各方向に対して、粗動駆動系や微動駆動系などの複数の駆動系から構成されていてもよい。さらに、Ｚ軸方向の位置調整のための駆動系や、ウエハ１１のθ方向の位置調整機能、またはウエハ１１の傾きを補正するためのチルト機能などを有する構成もあり得る。また、ウエハステージ５は、その側面にＸ、Ｙ、Ｚ、ωｘ、ωｙ、ωｚの各方向に対応した複数の参照ミラー（反射部）１７を備える。これに対して、インプリント装置１は、これらの参照ミラー１７にそれぞれビームを照射することで、ウエハステージ５の位置を測定する複数のレーザー干渉計（測長器）１８を備える。レーザー干渉計１８は、ウエハステージ５の位置を実時間で計測し、後述する制御部７は、このときの計測値に基づいてウエハ１１（ウエハステージ５）の位置決め制御を実行する。なお、測長器としては、レーザー干渉計１８ではなく、例えばエンコーダーなどを用いてもよい。また、図１では、簡単化のために、それぞれ複数の参照ミラー１７とレーザー干渉計１８とのうち、１組のみを例示している。
【００２０】
塗布部６は、モールド保持機構３の近傍に設置され、ウエハ１１上に存在するパターン形成領域としてのショット上に、樹脂（未硬化樹脂）１０を塗布する。ここで、この樹脂１０は、紫外線９を受光することにより硬化する性質を有する光硬化性樹脂（インプリント材）であり、半導体デバイス製造工程などの各種条件により適宜選択される。また、塗布部６から塗布（吐出）される樹脂１０の量も、ウエハ１１上に形成される樹脂１０の所望の厚さや、形成されるパターンの密度などにより適宜決定される。
【００２１】
制御部７は、インプリント装置１の各構成要素の動作および調整などを制御し得る。制御部７は、例えばコンピュータなどで構成され、インプリント装置１の各構成要素に回線を介して接続され、プログラムなどにしたがって各構成要素の制御を実行し得る。本実施形態の制御部７は、モールド保持機構３やウエハステージ５の動作に加え、ガス供給機構４によるガス供給などを制御する。なお、制御部７は、インプリント装置１の他の部分と一体で（共通の筐体内に）構成してもよいし、インプリント装置１の他の部分とは別体で（別の筐体内に）構成してもよい。
【００２２】
また、インプリント装置１は、ガス供給機構４により供給され、対向面１３ｃ下の隙間を通過して外側に流出するガス１２ａの装置空間全体への拡散を抑えるための隔壁部（第２の壁部）１９を備える。例えば、ガス供給機構４から供給するガス１２をヘリウムとすると、ヘリウムと空気とは、それぞれ光の屈折率が異なるため、ヘリウムが参照ミラー１７とレーザー干渉計１８との間の光路２０に侵入すると、計測誤差を生じさせる可能性がある。通常、レーザー干渉計１８による光路２０への侵入を許容し得るヘリウムの許容濃度は、数ｐｐｍ以下である。また、レーザー干渉計１８に換えてエンコーダーなどの他の測長器を使用する場合でも、ヘリウムの濃度のムラが高精度な計測に影響する場合があるため無視できない。そこで、本実施形態の隔壁部１９は、図１に示すように、少なくともモールド８と吹き出し部１３とを内包して外部環境から隔離させ、かつ、その内部にて対向面１３ｃ下の隙間から流出したガス１２ａ（図２参照）を排気する。この場合、隔壁部１９は、図１に示すように、負圧発生源である不図示の真空ポンプ（排気部）などに接続された排気経路２１を形成し、この排気経路２１を通してガス１２ａを排気する。
【００２３】
図３は、排気経路２１を通して排気されるガス１２ａの流れを説明する概略断面図である。上記真空ポンプは、隔壁部１９で囲まれる空間全体を排気するため、図３中の矢印２２に示すように、隔壁部１９のウエハステージ５側に向かう端面（隔壁面）１９ａとウエハ１１の表面との隙間から、隔壁部１９内に外部空気が流入する。この流入した空気は、ガス１２ａと混合した状態で排気経路２１を介して排気される。このような排気を実現させるために、真空ポンプが排気する排気流量に合わせて、端面１９ａとウエハ１１の表面との隙間量を設定することが望ましい。この場合も、隙間量は、端面１９ａの下を通過して内側に流入する空気の流速がウエハ１１が移動する速度以上（同等を含む）となるように設定すればよい。すなわち、最大でウエハ１１が移動する速度と同等の流速で隔壁部１９外へ流出しようとするガス１２ａに対し、それと同等またはそれ以上の流速の空気を対向させることで、ウエハ１１が移動しても、隔壁部１９内のガス１２ａが外部へ流出することを抑止できる。これを踏まえ、この場合の隙間量は、具体的には、押し付け時にモールド８とウエハ１１とが最接近したとき、１０ｍｍ以下となることが望ましい。そして、隔壁部１９の端面１９ａの設置高さは、この隙間量を実現できるように予め設定する。
【００２４】
さらに、インプリント装置１は、不図示であるが、ウエハ１１上のアライメントマークを計測するアライメント計測系や、モールド８を装置外部から内部へ搬送するモールド搬送機構や、ウエハ１１を装置外部から内部へ搬送する基板搬送機構などを含み得る。
【００２５】
次に、インプリント装置１によるインプリント処理について説明する。まず、制御部７は、基板搬送装置によりウエハステージ５にウエハ１１を載置および固定させる。次に、制御部７は、ステージ駆動機構を駆動させてウエハ１１の位置を適宜変更させつつ、アライメント計測系によりウエハ１１上のアライメントマークを順次計測させ、ウエハ１１の位置を高精度に検出する。そして、制御部７は、その検出結果から各転写座標を演算し、この演算結果に基づいて所定のショットごとに逐次パターンを形成させる。ある１つのショットに対するパターン形成の流れとして、制御部７は、まず、ステージ駆動機構により塗布部６の吐出口の下にウエハ１１上の塗布位置（ショット上の特定の位置）を位置決めさせる。その後、塗布部６は、ウエハ１１上のショットに樹脂１０を塗布する（塗布工程）。次に、制御部７は、ステージ駆動機構によりパターン部８ａ直下の押し付け位置にショットが位置するようにウエハ１１を移動させ、位置決めさせる。次に、制御部７は、パターン部８ａとショットとの位置合わせなどを実施した後、モールド駆動機構を駆動させ、ショット上の樹脂１０にパターン部８ａを押し付ける（押型工程）。この押し付けにより、樹脂１０は、パターン部８ａの凹凸パターンに充填される。なお、制御部７は、押し付け完了の判断を、モールド保持機構３の内部に設置された不図示の荷重センサにより行う。この状態で、光照射部２は、硬化工程としてモールド８の背面（上面）から紫外線９を所定時間照射し、モールド８を透過した紫外線９により樹脂１０を硬化させる。そして、樹脂１０が硬化した後、制御部７は、モールド駆動機構を再駆動させ、パターン部８ａをウエハ１１から引き離す（離型工程）。これにより、ウエハ１１上のショットの表面には、パターン部８ａの凹凸パターンに倣った３次元形状の樹脂パターン（層）が形成される。このような一連のインプリント動作をウエハステージ５の駆動によりショットを変更しつつ複数回実施することで、インプリント装置１は、１枚のウエハ１１上に複数の樹脂パターンを形成することができる。
【００２６】
上記の押型工程では、モールド８とウエハ１１上の樹脂１０とを押し付ける際、樹脂１０は、パターン部８ａの凹凸パターンに満遍なく充填される必要がある。これは、凹凸パターン内に充填された樹脂１０の内部に気泡が残留した状態で樹脂１０の硬化を実施すると、ショット上に形成される樹脂パターンが所望の形状ではなくなり、結果的に製造される半導体デバイスなどの物品自体に影響を及ぼすためである。図４は、押型工程から離型工程までのインプリント動作を説明する概略断面図である。特に、図４（ａ）は、押し付け動作を開始した状態であり、図４（ｂ）は、押し付け動作後に、樹脂１０を硬化させている状態であり、また、図４（ｃ）は、引き離し動作後の状態を示している。押型工程および硬化工程では、制御部７は、ガス供給機構４により、図４の各図に示すようにモールド８とウエハ１１との隙間空間にガス１２を供給させることで、樹脂１０をパターン部８ａの凹凸パターンの細部にわたり充填させる。このとき、本実施形態では、上記のような構成により、モールド８とウエハ１１上のショットとの隙間空間に存在するガス１２の濃度を高い値に維持させることができる。特に、本実施形態によれば、バッファ空間１５が存在し、かつこのバッファ空間１５内のガス１２が外部からの空気の流入により希釈されることを回避することから、従来よりも少ない流量で効率良く高濃度のガス１２を隙間空間に充満させることができる。さらに、インプリント装置１は、隔壁部１９を備えたことでガス１２を効率良く回収できるので、ガス１２の拡散に起因した、例えばレーザー干渉計１８の計測値への影響などを極力抑えることができる。
【００２７】
以上のように、本実施形態によれば、樹脂パターンでの未充填部分の発生を抑える際の効率化の点で有利なインプリント装置を提供することができる。
【００２８】
なお、上記実施形態では、バッファ空間１５を形成するための壁部となる突出部を、ガス１２の吹き出し部１３と一体の突出部１３ｂとしているが、本発明は、これに限定するものではない。例えば、突出部は、吹き出し部１３とは別体として、吹き出し部１３の側面に隣設させるような部材としてもよい。また、隔壁部１９を設置する箇所については、上述したように、バッファ空間１５から流出するガス１２ａを外部に拡散させずに排気することができるならば、特に限定するものではない。隔壁部１９は、例えば、モールド保持機構３を支持する構造体の形状自体を隔壁とするものであってもよいし、排気フードとして前述の構造体全体を覆うものであってもよい。さらに、図１に示すインプリント装置１の構成では省略したが、例えば、図５に示すように、ウエハステージ５は、ウエハ１１を載置した際に、その側面周囲で、ウエハ１１の表面高さに合わせた高さ（同等の高さ）面を有する板材（同面板）３０を設置し得る。一般に、ウエハ１１は、その表面上の外周近傍までショットが設定されている。すなわち、ウエハ１１上のショットのうち外周領域に存在するようなショットに対してインプリント処理する際には、吹き出し部１３の直下または隔壁部１９の端面１９ａの直下にウエハ１１の表面が位置しない場合もある。このような場合、上記のようにウエハステージ５に板材３０を設置することで、インプリント装置１は、ウエハ１１上のいずれのショットに対してインプリント処理を実施したとしても、上記説明した効果を奏する。
【００２９】
（物品の製造方法）
物品としてのデバイス（半導体集積回路素子、液晶表示素子等）の製造方法は、上述したインプリント装置を用いて基板（ウエハ、ガラスプレート、フィルム状基板）にパターンを形成する工程を含む。さらに、該製造方法は、パターンを形成された基板をエッチングする工程を含み得る。なお、パターンドメディア（記録媒体）や光学素子などの他の物品を製造する場合には、該製造方法は、エッチングの代わりにパターンを形成された基板を加工する他の処理を含み得る。本実施形態の物品の製造方法は、従来の方法に比べて、物品の性能・品質・生産性・生産コストの少なくとも１つにおいて有利である。
【００３０】
以上、本発明の好ましい実施形態について説明したが、本発明は、これらの実施形態に限定されず、その要旨の範囲内で種々の変形および変更が可能である。
【符号の説明】
【００３１】
１      インプリント装置
４      ガス供給機構
５      ウエハステージ
８      モールド
８ａ    パターン部
１１    ウエハ
１２    ガス
１３ｂ  壁部
１５    バッファ空間
【図１】
2014212206.tif 000003
【図２】
2014212206.tif 000004
【図３】
2014212206.tif 000005
【図４】
2014212206.tif 000006
【図５】
2014212206.tif 000007